(57)【要約】キャリアシートが各ラベルに対応した第１キャリア部分及び第２キャリア部分に分割されるキャリアシート上の、裏面に接着剤の付いたラベルを備える、ラベルアセンブリ。使用の際、ラベルは、まず、対応する第１キャリア部分から分離され、次に対応する第２キャリア部分から分離されることにより、ラベルがカールする傾向を低減する。【選択図】  図３
2015505072.tif 000002
【特許請求の範囲】
【請求項１】
表主面及び裏主面を有するキャリアシートと、
前記キャリアシートの前記表主面に解放可能に接着された複数のラベルと、を備え、
前記キャリアシートは、少なくとも１つの囲い形式の分離線を有し、
前記分離線は第１キャリア部分及び第２キャリア部分を画定し、
前記第２キャリア部分は前記ラベルの領域よりも小さい領域を有し、
第２キャリア部分は、前記ラベルの外周を越えて延びる少なくとも１つのタブを備え、
前記ラベル及び前記第２キャリア部分は、前記第２キャリア部分の少なくとも一部が解放可能に前記ラベルに接着されたままで、前記第１キャリア部分から分離するように構成されている、ラベルアセンブリ。
【請求項２】
前記分離線は実質的に前記ラベルの下にある、請求項１に記載のラベルアセンブリ。
【請求項３】
前記ラベルの形状は実質的に矩形である、請求項２に記載のラベルアセンブリ。
【請求項４】
前記ラベルの形状は実質的に円形である、請求項２に記載のラベルアセンブリ。
【請求項５】
前記キャリアシートの前記表主面に解放可能に接着され複数のラベルを包囲するマトリックスを更に備える、請求項１に記載のラベルアセンブリ。
【請求項６】
前記キャリアシートの前記表主面に解放可能に接着され前記ラベルの隣に位置するストリップを更に備える、請求項１に記載のラベルアセンブリ。
【請求項７】
少なくとも１つのタブは前記マトリックスの下にある、請求項５に記載のラベルアセンブリ。
【請求項８】
前記キャリアシートの前記表主面に解放可能に接着され前記マトリックスと前記ラベルとの間に位置するストリップを更に備える、請求項５に記載のラベルアセンブリ。
【請求項９】
少なくとも１つのタブは前記ストリップの下にある、請求項６に記載のラベルアセンブリ。
【請求項１０】
標準レター形式及びＡ４形式からなる群から選択される形状を有する、請求項１に記載のラベルアセンブリ。
【請求項１１】
前記分離線は複数の切り込みと結合部とを備える、請求項１に記載のラベルアセンブリ。
【請求項１２】
請求項４に記載のラベルアセンブリを使用する方法であって、
前記表主面から前記マトリックスを取り外す工程と、
前記タブを引き上げることにより、前記ラベル及び前記第２キャリア部分を第１キャリア部分から取り外す工程と、
前記第２キャリア部分の前記タブ及び前記第２キャリア部分を前記ラベルから引き離す工程と、を含む方法。
【請求項１３】
請求項５に記載のラベルアセンブリを使用する方法であって、
前記表主面から前記ストリップを取り外す工程と、
前記タブを引き上げることにより、前記ラベル及び前記第２キャリア部分を第１キャリア部分から取り外す工程と、
前記第２キャリア部分の前記タブ及び前記第２キャリア部分を前記ラベルから引き離す工程と、を含む方法。
【発明の詳細な説明】
【技術分野】
【０００１】
本発明は、ラベルアセンブリに関する。より詳細には、本発明は、ラベルが耐カール性を有するラベルアセンブリの設計に関する。
【背景技術】
【０００２】
粘着ラベルは、様々な整理目的及び連絡目的で広く使用されている。一般的に、粘着ラベルは、裏面に接着剤の付いた本体又は支持体（ラベルストックと称することもある）を備える基本構造を有し、仮ライナー又はキャリアシートの上に配置されて提供される。本体は、単層であっても、又は多層構造であってもよい。表側面は、通常、例えば、タイプ、手書き、コンピュータプリンタによる印刷等によって説明表示を受容するように構成されている。例えば、所望の説明表示又は情報をより配置しやすくするために、画像受容層を本体の表側面に備えてもよい。ラベル本体に使用される材料の実例には、紙、高分子フィルム、布地等が挙げられ、得られるラベルの所望の性能特性に一部依存して選択される。ラベル構造物に使用される多様な接着剤が既知であり、所望のラベル性能、意図された支持体、本体特性等の要素に一部依存して選択される。
【０００３】
現在市販されている多くのラベルアセンブリ（「ラベルシート」と称することもある）は、個々のラベルをキャリアシート若しくはライナーから剥がすか、又は各ラベルをそのライナーに接着させたままラベルアセンブリをより小さなラベルアセンブリに個別化するかのいずれかにより、ラベルアセンブリから取り外し可能なダイカットラベルを備える。これらの個々のラベルは、切取線で分離可能なラベルアセンブリ上に提供されるか、又は既に個別化されているかのいずれかである。
【０００４】
通常の使用では、例えば、プリンタ、タイプライター、手書き等により１つ以上のラベル上に説明表示を形成した後、ラベルをキャリアシート又はライナーから取り外し、支持体に貼合しなければならない。ラベルをキャリアシート又はライナーから取り外す際、ラベルはカールしやすい。場合によっては、ラベルは、そのラベル自体に接着するようにカールすることさえある。部分的にカールしたラベルの貼合であっても、若干難しく、時間がかかる場合もあり、手先の器用さがかなり要求される。
【発明の概要】
【発明が解決しようとする課題】
【０００５】
既知のラベル構造には多くの種類があるにもかかわらず、ラベル構造の改善を求める要望がある。
【課題を解決するための手段】
【０００６】
本発明は、ラベルアセンブリと、素早く簡単にラベルを作製し、廃棄部分を限定して利便性を高めたアセンブリの使用方法と、を提供する。本発明のラベルアセンブリの構成は、様々な印刷装置で良好なプリンタ給紙性能を可能にし、製品情報用に印刷可能な余白を保持する。
【０００７】
要約すると、本発明のラベルアセンブリは、表主面及び裏主面を有するキャリアシートと、キャリアシートの表主面上に解放可能に接着された複数個のラベルと、を含む。各ラベルは、その裏側に接着剤の付いた１枚のラベルストックを備える。本発明によって、
キャリアシートは、少なくとも１つの囲い形式の分離線を有し、
分離線は第１キャリア部分及び第２キャリア部分を画定し、
第２キャリア部分はラベルの領域よりも小さい領域を有し、
第２キャリア部分は、ラベルの外周を越えて延びる少なくとも１つのタブを備え、
各ラベル及び対応する第２キャリア部分は、第２キャリア部分の少なくとも一部が解放可能にラベルに接着されたままで第１キャリア部分から分離するように構成されている。
【０００８】
要約すると、本発明の方法は、表主面からマトリックスを取り外す工程と、タブを引き上げることによってラベル及び対応する第２キャリア部分を第１キャリア部分から分離する工程と、第２キャリア部分のタブ及び第２キャリア部分をラベルから引き離す工程と、を含む。
【０００９】
本発明の他の態様によると、本発明の方法は、表主面からストリップを取り外す工程と、タブを引き上げることによってラベル及び第２キャリア部分を第１キャリア部分から取り外す（removing）工程と、第２キャリア部分のタブ及び第２キャリア部分をラベルから引き離す工程と、を含む。
【００１０】
通常、手書き、プリンタ（例えば、パーソナルコンピュータと共に一般に使用されるようなレーザープリンタ又はインクジェットプリンタ）により、本発明のラベルアセンブリの表側面に画像を印刷することができる。
【００１１】
本発明の利点は、ラベルをカールさせずにラベルアセンブリから取り外して支持体に容易に貼り付けることができることである。
【図面の簡単な説明】
【００１２】
図面を参照して本発明をより適切に説明することができる。
【図１】従来のラベルアセンブリの表（すなわち、ラベル）側平面図である。
【図２】図１に示す従来のラベルアセンブリの、図１の１−１線断面図である。
【図３】本発明のラベルアセンブリの一実施形態の表（すなわち、ラベル）側平面図である。
【図３ａ】図３に示すラベルアセンブリの裏側平面図である。
【図４】図３に示すラベルアセンブリの、図３の４−４線断面図である。
【図５】本発明のラベルアセンブリの一実施形態の表側平面図である。
【図５ａ】図５に示すラベルアセンブリの裏側平面図である。
【図６】図５に示すラベルアセンブリの、図５の５−５線断面図である。
【図７】本発明のラベルアセンブリの一実施形態の表側平面図である。
【図８】図７に示すラベルアセンブリの、図７の７−７線断面図である。
【図９】本発明のラベルアセンブリの一実施形態の表側平面図である。
【図１０】図９に示すラベルアセンブリの、図９の９−９線断面図である。
【図１１】本発明のラベルアセンブリの一実施形態の表側平面図である。
【図１２】図１１に示すラベルアセンブリの、図１１の１１−１１線断面図である。
【図１３】本発明のラベルアセンブリの一実施形態の表側平面図である。
【図１４】本発明のラベルアセンブリの一実施形態の表側平面図である。
【００１３】
図面は説明の目的で本発明を示しており限定するものではない。本発明の原理の範囲及び趣旨に含まれる多数の他の修正及び実施形態が、当業者によって考案され得る。図は理想化されており、一定の縮尺で描かれておらず、単に説明の目的だけを意図する。
【発明を実施するための形態】
【００１４】
例示的な従来型のラベルアセンブリを図１及び図２に示す。本発明の例示的実施形態を他の図において示す。類似の構成要素及び特徴を指すために記載全体を通じて同様の参照符号を使用する。
【００１５】
ラベルアセンブリ１０は、複数のラベル２０、キャリアシート３０、及びラベル２０とキャリアシート３０との間の接着剤２４を含む。複数のラベル２０のそれぞれは、ラベル分離線２８により隣接するラベル及び周囲のマトリックスから分離される。接着剤２４及び分離線２８により、ユーザはキャリアシート３０からラベル２０を取り外すことができる。
【００１６】
ラベルアセンブリ１０の表側、断面図、及び裏側を示す図３、３ａ、４、５、５ａ、及び６において、本発明の例示的なラベルアセンブリを示す。ラベルアセンブリ１０は、複数のラベル２０、キャリアシート３０、及び複数のラベル２０とキャリアシート３０との間のラベルストックの裏側における接着剤２４と、を備える。
【００１７】
キャリアシート３０は、表主面３０ａ及び裏主面３０ｂを有する。
【００１８】
ラベル２０のそれぞれは、ラベル分離線２８により、ラベルアセンブリの他の構成要素（すなわち、隣接するラベル、周囲のマトリックス等）によって画定され、他の構成要素から分離されている。ラベルアセンブリ１０は、個々のラベル２０の間のマトリックスなしで示しているが、ラベルアセンブリ１０は、接り合うラベル間のマトリックスを含んでもよい。また、各ラベルアセンブリ１０は、複数のラベル２０を完全に包囲するマトリックス２６と共に示しているが、本発明において、ラベルアセンブリ１０はラベル２０を完全に包囲するマトリックス２６を含む必要はない。キャリアシート３０は、第１キャリア部分３２及び第２キャリア部分３４を画定するキャリアシート分離線３８を含む。分離線３８は、ラベル２０を越えて延びる第２キャリア部分３４のタブ３６も画定する。接着剤２４、分離線２８、及び分離線３８により、ユーザは、第１キャリア部分３２からラベル２０及び第２キャリア部分３４を取り外すことができる。よって、第２キャリア部分３４は、ラベルから容易に剥離され、支持体に貼合される準備ができる。
【００１９】
図３、５、７、９、及び１１は正面図である。図中、キャリア分離線３８は、ラベル２０との関係を示すため点線で示しているが、各断面図に示す通り、キャリア分離線はラベル全体には伸びていない。同様に、図３ａ及び５ａは背面図であり、ラベル分離線２８は、第２キャリア部分３４との関係を示すために、点線で示されている。
【００２０】
図７及び８並びに９及び１０において、それぞれ示す通り、一部の他の実施形態において、ラベルアセンブリ１０は、キャリアシート３０の表主面３０ａに解放可能に接着され、マトリックス２６とラベル２０との間に位置するストリップ４２を含む。
【００２１】
各ラベルアセンブリは、通常、複数のラベルを備えてもよい。例えば、図３、５、７、及び９に示す通り、各ラベルアセンブリは、１縦列に、所定の構成で配置された１１枚のラベルを備える。
【００２２】
図１１に示す通り、他の例示的実施形態において、ラベルアセンブリは、５横列が２縦列ある所定の構成で配置された１０枚のラベルを備える。
【００２３】
図１１は、本発明の例示的実施形態によるラベルアセンブリ１０を示す。ラベルアセンブリ１０は、複数のラベル２０の第１縦列及び複数のラベル２０の第２縦列を含む。第１ラベル縦列及び第２ラベル縦列のそれぞれは、ラベルアセンブリ１０の長手方向に配置されるか、又はスタックされる。各ラベル２０は、実質的にラベルの下にある分離線３８に包囲された第２キャリア部分３４を含む。分離線３８は、ラベル２０を越えて延びる第２キャリア部分３４のタブ３６も画定する。
【００２４】
使用の際、本発明のラベルアセンブリは以下のように用いられる。
【００２５】
最初に、例えば、アセンブリをコンピュータプリンタに通過させること、手書き、又はデカールの接着等により、所望により１つ以上のラベル上に表示物を形成することができる。
【００２６】
次に、マトリックス２６を分離線２８に沿って表主面３０ａから取り外す。第２キャリア部分３４のタブ３６が露出する。タブ３６を引き上げることにより、ラベル２０及び第２キャリア部分３４は第１キャリア部分３２から容易に取り外される。タブ３６をラベル２０から引き離すことにより、第２キャリア部分３４をラベル２０から取り外す。よって、ラベル２０を支持体に容易に貼合する準備ができる。
【００２７】
あるいは、ストリップ４２を、分離線２８に沿って表主面３０ａから取り外す。第１ラベル２０の第２キャリア部分３４のタブ３６が露出する。タブ３６を引き上げることにより、第１ラベル２０及び第２キャリア部分３４は第１キャリア部分３２から容易に取り外される。第２ラベル２０の第２キャリア部分３４のタブ３６が露出する。タブ３６をラベル２０から引き離すことにより、第２キャリア部分３４を第１ラベル２０から取り外す。よって、ラベル２０を支持体に容易に貼合する準備ができる。
【００２８】
本発明により、他のラベルサイズ、及びラベルのレイアウトが使用可能であり、使用のために容易に適応される。ラベルの形状及びサイズは様々あってよく、全てが同じ形状又はサイズである必要はない。図１３及び１４は、それらのラベルが円形である可能性を示す。ラベルは、ラベル間のマトリックス又は露出したライナーにより、互いに完全に分離されていてもよい。
【００２９】
ラベルは印刷可能な面を有する。「印刷可能な面」という文言の意味は、人又は機械が描く、印刷する、着色する、塗る、コピーする、書く、エンボス加工する、又はその他の種類のマーク若しくは図形を付けることができる、あらゆる種類の物の面という意味である。本発明による印刷可能な面と共に使用するには、レーザープリンタ、インクジェットプリンタ、インパクトプリンタ、熱転写プリンタ、ダイレクトサーマルプリンタ、タイプライター、コピー機、又はその他の好適なグラフィック印刷装置が好ましいが、必ずしも必要ではない。
【００３０】
ラベルストックは、ラベルとして使用可能な任意の好適な紙、紙の複合物、フィルム、プラスチック、布地、非金属及び／又は金属シート材料で構成されることが好ましいが、必須ではない。好適な材料の選択は、所望の色、水分安定性、柔軟性、伸び、弾性、撮像材料に対する感応性等の要素を含む所望の用途に一部依存するであろう。
【００３１】
当業者は、所望の用途に適したラベルストック材料を容易に選択できるであろう。
【００３２】
一般に既知の形状として、８．５×５．５インチ（２１６×１４０ｍｍ）の標準紙サイズ、米国標準レターサイズ（すなわち、寸法が８  １／２×１１インチ又は２１６×２７９ｍｍ）、法定サイズ（８．５×１４インチ（２１６×３５６ｍｍ））、Ａ４（すなわち、寸法が２１０×２９７ｍｍ）、及び葉書サイズ（すなわち、寸法が４×６インチ又は１００×１４８．５ｍｍ）のシートが挙げられる。ラベルアセンブリは、任意の好適な形状であり、一般的に、レーザープリンタ又はインクジェットプリンタ等のプリンタが受け入れ可能及び給紙可能な任意の好適な寸法である。
【００３３】
接着剤により、ラベルを接着させることができる。多くの実施形態において、接着剤は感圧性であろう。所望により、必要とされるラべルの貼合性能に応じて、例えば、熱又は開始剤の反応により活性化される接着剤を使用してもよい。所望の通り、位置調節可能、取り外し可能な永久結合接着剤を使用してもよい。光透過性接着剤を使用する場合、ラベルを貼合する支持体の色は、ラベルを通して特定の効果をもたらすと考えられ、例えば、ラベルを名札として使用する場合、異なる色の衣服を着ている人に付けたラベルは固有の外観を有するであろう。所望により、顔料及び染料等の１つ以上の着色剤を接着層に組み込み、得られるラベルに所望の外観を付与することができる。
【００３４】
当業者は、選択したラベリング用途に好適な接着剤を容易に選択することができる。
【００３５】
当業者は、好適な解放ライナーも容易に選択することができる。選択は、接着剤の特性、ラベルの保管、使用、及び貼合条件等の要素に一部依存するであろう。
【００３６】
本発明によれば、それぞれの分離線は、例えば、少なくとも１つのダイカット線、キスカット線（層又はシート全体に完全に伸びていないダイカット線）、レーザーダイカット線、スコアカット線、穿孔線、微小穿孔線、化学エッチング線、液体エッチング線、及び／又は気体エッチング線を含む。
【００３７】
他の形状を有するキャリアシートを本発明に従って使用してもよいが、通常、キャリアシートの形状は矩形である。
【００３８】
本発明は、ラベルを手で個別に取り外す用途に極めて好適である。しかし、本発明は手で使うことに限定していない。本発明は、複数のラベル２０及び第２キャリア部分３４を第１キャリア部分３２から分離した後、第２キャリア部分３４を複数のラベル２０から取り外し、複数のラベル２０を支持体に配置する自動機械により使用可能である。本発明は、複数のラベルが１つ以上の支持物体の上に配置され、そこにグループとしてこれらのラベルがラベルアセンブリ１０の上で見られる同じ相対位置で貼合される用途で使用することもできる。
【００３９】
例示する目的で述べられた上記実施形態の詳細は本発明の範囲を限定すると解釈すべきではないことが理解されよう。以上、本発明のごくわずかな例示的実施形態を詳細に説明してきたが、本発明の新たな教示及び利点から実質的に逸脱することなく様々な修正を行い得ることが当業者には容易に理解されよう。したがって、このような修正全ては、本発明の範囲内に含めることを意図している。更に、多くの実施形態は、一部実施形態、特に好ましい実施形態の全ての利点を達成しないが、特定の利点が存在しないことは、このような実施形態が本発明の範囲外であることを必然的に意味すると解釈すべきではない、と考えてもよいと認識されている。
【図１】
2015505072.tif 000003
【図２】
2015505072.tif 000004
【図３】
2015505072.tif 000005
【図３ａ】
2015505072.tif 000006
【図４】
2015505072.tif 000007
【図５】
2015505072.tif 000008
【図５ａ】
2015505072.tif 000009
【図６】
2015505072.tif 000010
【図７】
2015505072.tif 000011
【図８】
2015505072.tif 000012
【図９】
2015505072.tif 000013
【図１０】
2015505072.tif 000014
【図１１】
2015505072.tif 000015
【図１２】
2015505072.tif 000016
【図１３】
2015505072.tif 000017
【図１４】
2015505072.tif 000018
【国際調査報告】
2015505072.tif 000019
2015505072.tif 000020
2015505072.tif 000021